(57)【要約】【課題】湯水から引き上げた後の液漏れを回避し、衛生的に保管し、且、抽出対象物の抽出作業を効率的に行うことができる器具を提供する。【解決手段】器具７は、第１の部材１と、第２の部材２とを含む。第１の部材１は、第１の基体部１０と、抽出部１７とを有している。第１の基体部１０は、管状である。抽出部１７は、袋状であって、液透過性を有するシート材で構成され、第１の基体部１０の管軸方向Ｌの少なくとも一端（１０１）に取り付けられている。第２の部材２は、管状であって、管状の内部に第１の部材１が挿通され、挿通された状態で、第１の基体部１０の外周において可動的に取り付けられ、抽出部１７を外部に露出可能に覆っている。【選択図】図１
2011188927.tif 000002
【特許請求の範囲】
【請求項１】
第１の部材と、第２の部材とを含む器具であって、
前記第１の部材は、第１の基体部と、抽出部とを有しており、
前記第１の基体部は、管状であり、
前記抽出部は、袋状であって、液透過性を有するシート材で構成され、前記第１の基体部の管軸方向の少なくとも一端に取り付けられており、
前記第２の部材は、管状であって、管状の内部に前記第１の部材が挿通され、前記挿通された状態で、前記第１の基体部の外周において可動的に取り付けられ、前記抽出部を外部に露出可能に覆っている、
器具。
【請求項２】
請求項１に記載された器具であって、
前記第２の部材は、前記管軸方向にスライド可能に取り付けられ、前記管軸方向の一端から他端にスライドさせることにより、前記抽出部を外部に露出させる、
器具。
【請求項３】
請求項１又は２に記載された器具であって、
前記第２の部材は、第２の基体部と、第２の開口部とを有しており、
前記第２の基体部は、管状であり、
前記第２の開口部は、前記第２の基体部の側面を貫通しており、
前記第２の部材は、前記管軸の周りを回転可能に取り付けられ、前記管軸の周りを回転させ、前記第２の開口部が前記抽出部と重なった時に、前記抽出部を外部に露出させる、
器具。
【請求項４】
請求項１乃至３の何れかに記載された器具であって、さらに掛止部を有しており、
前記掛止部は、前記第１の部材の外面に突設されている、
器具。
【請求項５】
請求項１乃至４の何れかに記載された器具であって、
前記抽出部は、隔壁によって画定された複数の収納空間を有している、
器具。
【請求項６】
請求項１乃至５の何れかに記載された器具であって、
前記抽出部は、前記第１の基体部の管軸方向の両端に取り付けられている、
器具。
【請求項７】
請求項１乃至６の何れかに記載された器具であって、さらに前記抽出対象物を含み、
前記抽出対象物は、茶葉、コーヒー粉末、ココア粉末、ミルク粉末、砂糖、又は、それらの混合物であって、前記抽出部に収納されている、
器具。
【発明の詳細な説明】
【技術分野】
【０００１】
本発明は、器具に関し、具体的にはコーヒーや紅茶、緑茶などを手軽に飲むための器具に関する。
【背景技術】
【０００２】
コーヒーや紅茶、緑茶などを手軽に飲むための器具について、例えば、特許文献１、２に開示されているものが知られている。特許文献１記載の器具は、所謂ティーパックであって、抽出袋と、紐とを含む。抽出袋は、液透過性を有するシート材で構成されており、内部に茶葉が収納される。紐は、一端が抽出袋に結び付けられている。この構造によると、例えば、容器に溜めた湯水（溶媒）に抽出袋を浸すだけで、当該湯水に同袋内の茶葉の香味成分（溶質）を溶かし出し、飲むことができる。また、香味成分を抽出した後、紐の他端を持ち上げることにより、別途漉し器を用いることなく、当該湯水から茶葉を引き上げることができる。
【０００３】
他方、特許文献１では、抽出袋を動かし難いという不具合が生じる。即ち、茶葉の香味成分を効率よく抽出するためには、湯水内で抽出袋を動かすことにより、当該湯水とともに袋内の茶葉を攪拌させる必要がある。しかし、紐の一端をつまんで抽出袋を動かそうとしても、水圧によって抽出袋を十分に動かすことができない。
【０００４】
特許文献２記載の器具は、上述した不具合を解決するものであって、ストロー状器具の一端に抽出袋が収納されている。この構造によると、ストロー状器具の一端を湯水に浸した状態で、他端をつまんで掻き混ぜることにより、湯水内で袋内の茶葉を攪拌させ、香味成分を効率よく抽出することができる。
【０００５】
ところで、この種のティーパックを用いた場合の問題点として、湯水から引き上げた後の液漏れの処理が面倒であることが知られている。即ち、ティーパックの抽出袋は、湯水から引き上げられた状態で多量の水分を含んでいる。従って、ティーパックを、例えばテーブル上にそのままおくと、抽出袋から染み出した水分や、水分に残留している香味成分により、テーブル上が汚れてしまう問題が生じる。上述した問題を回避するためには、抽出袋を当該湯水から引き上げた後、直ちにゴミ箱などに捨てなければならず、非常に面倒である。
【０００６】
また、ティーパックを用いた場合のもう１つの問題点として、再利用しにくいことが知られている。即ち、ティーパックは、抽出袋に収納される茶葉の量を増やすことにより、複数回、繰り返して使用することも可能である。ただし、ティーパックを繰り返し使用するには、抽出袋を当該湯水から一旦引き上げた後、次に使うまでの間、衛生的に保管する必要があるから、非常に面倒である。
【０００７】
上述した湯水から引き上げた後の液漏れの処理の問題、及び、使用後の抽出袋を次に使うまでの間、衛生的に保管する問題について、特許文献１及び２記載の発明では、解決することができない。
【先行技術文献】
【特許文献】
【０００８】
【特許文献１】特願２００５−２０６２５６号公報
【特許文献２】特願２００２−２４０８５４号公報
【発明の概要】
【発明が解決しようとする課題】
【０００９】
本発明の課題は、湯水から引き上げた後の液漏れを回避することができる器具を提供することである。
本発明のもう１つの課題は、衛生的に保管することができる器具を提供することである。
本発明の更にもう一つの課題は、抽出対象物の抽出作業を効率的に行うことができる器具を提供することである。
【課題を解決するための手段】
【００１０】
上述した課題を解決するため、本発明に係る器具は、第１の部材と、第２の部材とを含む。第１の部材は、第１の基体部と、抽出部とを有している。第１の基体部は、管状である。抽出部は、袋状であって、液透過性を有するシート材で構成され、第１の基体部の管軸方向の少なくとも一端に取り付けられている。第２の部材は、管状であって、管状の内部に第１の部材が挿通されており、挿通された状態で、第１の基体部の外周において可動的に取り付けられ、抽出部を外部に露出可能に覆っている。
【００１１】
上述のように、本発明に係る器具を構成する第１の部材は、管状の第１の基体部と、袋状の抽出部とを有している。抽出部は、液透過性を有するシート材で構成され、第１の基体部の管軸方向の少なくとも一端に取り付けられている。この構造によると、抽出部に、例えば茶葉、コーヒー粉末、ココア粉末等の抽出対象物を収納させた状態で、容器に溜めた湯水に第１の基体部の一端を差し込みし、抽出部を当該湯水に浸すだけで、抽出対象物の成分（溶質）を当該湯水に溶かし出すことができる。
【００１２】
また、第１の基体部の一端を湯水に浸した状態で、他端をつまんで掻き混ぜる操作をすることにより、別途スプーンなどを用いずに湯水を攪拌し、抽出対象物の抽出作業を効率的に行うことができる。
【００１３】
さらに、抽出対象物を当該湯水に溶かし出した後、第１の基体部の他端をつまみ、持ち上げることにより、別途漉し器を用いることなく、当該湯水から抽出部、及び、抽出部に収納された抽出対象物を引き上げることができる。
【００１４】
本発明に係る器具は、上述した構成に加え、第２の部材を有する点に特徴のひとつがある。第２の部材は、管状であって、管状の内部に第１の基体部が挿通されており、挿通された状態で、第１の基体部の外周において可動的に取り付けられ、抽出部を外部に露出可能に覆っている。この構造によると、抽出部は第２の部材によって覆われているから、抽出部、及び、抽出部に収納された抽出対象物を衛生的に保管することができる。
【００１５】
また、抽出時には第２の部材を操作して抽出部を外部に露出させ、露出させた状態で、例えば容器に溜めた溶媒（湯水）に第１の基体部の一端を差し込みし、抽出部を当該湯水に浸すだけで、抽出対象物の成分（溶質）を当該湯水に溶かし出すことができる。
【００１６】
さらに、当該湯水から引き上げた後、第２の部材を操作して抽出部を被覆させることにより、例えばテーブル上にそのまま放置しても、抽出部から水分や、水分に残留している抽出対象物の成分が外部に漏出する不具合は生じない。従って、湯水から引き上げた後の液漏れを回避することができる。
【００１７】
しかも、抽出部を第２の部材で覆うことにより、例えばテーブル上にそのまま放置しても、抽出部に塵埃等が付着する不具合は生じないから、抽出袋を当該湯水から一旦引き上げた後、次に使うまでの間、衛生的に保管することができる。その結果、例えば再び湯水に浸して飲用に供することも可能になる。
【発明の効果】
【００１８】
以上述べたように、本発明によれば、次のような効果を得ることができる。
【００１９】
（１）湯水から引き上げた後の液漏れを回避することができる器具を提供することができる。
（２）衛生的に保管することができる器具を提供することができる。
（３）抽出対象物の抽出作業を効率的に行うことができる器具を提供することができる。
【００２０】
本発明の他の目的、構成及び利点については、添付図面を参照し、更に詳しく説明する。添付図面は、単に、例示に過ぎない。
【図面の簡単な説明】
【００２１】
【図１】本発明の一実施形態に係る器具の斜視図である。
【図２】図１の器具の一部を取り出して示す斜視図である。
【図３】図１の器具の正面断面図である。
【図４】図１の器具の別の状態を示す斜視図である。
【図５】図４の器具の正面断面図である。
【図６】図１乃至図５の器具の使用状態を示す部分断面図である。
【図７】本発明のもう一つ実施形態に係る器具について一部を拡大して示す正面断面図である。
【図８】本発明のさらにもう一つの実施形態に係る器具の正面図である。
【図９】図８の器具の平面図である。
【図１０】図８及び図９の器具の使用状態を示す部分断面図である。
【図１１】本発明のさらにもう一つの実施形態に係る器具の斜視図である。
【図１２】図１の器具の別の状態を示す斜視図である。
【図１３】図１１及び図１２の器具の内部構造を示す部分断面図である。
【図１４】本発明のさらにもう一つの実施形態に係る器具について一部を省略して示す正面図である。
【図１５】本発明のさらにもう一つの実施形態に係る器具の部分断面図である。
【図１６】図１５の器具の別の状態を示す斜視図である。
【発明を実施するための形態】
【００２２】
図１乃至図３の器具は、第１の部材１と、第２の部材２とを含む。第１の部材１（図２参照）は、第１の基体部１０と、抽出部１７とを有している。
【００２３】
第１の基体部１０は、断面視、円形状の管状体、筒状体、又は、パイプ状体であって、耐水シート材で構成されている。本明細書において「耐水シート材」とは、基材となる紙の表面を、合成樹脂材料塗料を用いて被膜加工したもの、又は、合成樹脂材料フィルムでコーティングしたものを指し、一般的な耐水紙の他、耐熱紙なども含まれる。第１の基体部１０が耐水シート材で構成されることにより、器具の使い捨てが可能となり、材料コストを低減することができる。もっとも、器具を繰り返し使用する場合には、第１の基体部１０をポリエチレン（ＰＥ）、ポリプロピレン（ＰＰ）等の合成樹脂材料で構成し、又は、ステンレス等の金属材料などで構成することもできる。
【００２４】
第１の基体部１０は、第１の中空部１００と、第１の開口部１１と、一対の膨張部１３１、１３２と、一対の凸部１４１、１４２とを有している。第１の基体部１０は、管状の側壁部分を構成し、管軸方向Ｌの両側に、それぞれ一端１０１と、他端１０２とを有し、管軸方向Ｌに交差する管径方向Ｄに外面１０３と、内面１０４とを有している。
【００２５】
第１の中空部１００は、内面１０４によって画定され、第１の基体部１０の内部を管軸方向Ｌに沿って伸びている。図１及び２の第１の中空部１００は、一端１０１及び他端１０２でそれぞれ開口しているが、必ずしもこれに限定されない。例えば、後述する液漏れの問題をより完全に回避するべく、第１の中空部１００が一端１０１に開口させない構造を採ることができる。
【００２６】
第１の開口部１１は、管軸方向Ｌでみた第１の基体部１０の中間部から一端１０１までの間の部分において、第１の基体部１０を外面１０３から内面１０４に貫通し、第１の中空部１００に開口している。
【００２７】
第１の開口部１１は、一対であって、第１の基体部１０において、管径方向Ｄの両側に向かい合う関係で形成されている。違う言葉で表現すれば、第１の開口部１１は、第１の基体部１０を部分的に切り欠くことにより構成されており、第１の基体部１０の中間部から一端１０１までの間には、開口端縁により画定された一対の第１の開口部１１、１１と、一対の第１の開口部１１を除いた条状部分１２とが形成されている。
【００２８】
一対の膨張部１３１、１３２のそれぞれは、一端１０１及び他端１０２のそれぞれにおいて、外面１０３から管径方向Ｄに突出している。膨張部１３１、１３２の突出面と、外面１０３との間には高低差が生じている。図３を参照すると、一対の膨張部１３１、１３２は、第１の基体部１０と一体的に形成されているが必ずしもこれに限定されない。例えば、帯状、又は、リング状の耐水シート材を一端１０１及び他端１０２に別途積層することにより構成することもできる。
【００２９】
一対の凸部１４１、１４２のそれぞれは、一端１０１及び他端１０２のそれぞれにおいて、外面１０３から管径方向Ｄに突出しており、凸部１４１又は１４２の突出面と、外面１０３との間に高低差が生じている。一対の凸部１４１、１４２のうち、凸部１４１は、一端１０１付近において膨張部１３１より手前側の条状部分１２上に形成されており、凸部１４２は、他端１０２付近において膨張部１３２より手前側に設けられている。
【００３０】
抽出部１７は、液透過性を有している。図１乃至図３の抽出部１７は、濾紙や不織布、メッシュなどの多孔質構造を有するシート材で構成され、一端１０１において、第１の中空部１００に取り付けられ、取り付けられた状態で、一対の第１の開口部１１、１１から外部に露出している。抽出部１７は、袋状であって、シート材の内面によって画定される内部空間１７０を有している。抽出部１７は、内部空間１７０に収納された抽出対象物４を溶媒（湯水）へ溶かし出す際に、フィルターとして機能する。
【００３１】
図１乃至図３からは必ずしも明らかではないが、管軸方向Ｌでみた抽出部１７の長さ寸法Ｌ１７は、同じく管軸方向Ｌでみた第１の開口部１１の長さ寸法Ｌ１１よりも長くなっており、抽出部１７の両端が内面１０４と一体化され、固定されている。もっとも、上記構成は、器具が使い捨てされる場合を想定したものである。従って、器具が繰り返し使用される場合には、固定具などを用いることにより、抽出部１７を内面１０４に着脱可能に固定することもできる。
【００３２】
また、抽出部１７は、湯水（６）に浸した場合、抽出対象物４が湯水（６）を吸収して、差し渡し寸法が増大、又は、膨張するから、抽出部１７の外面と、内面１０４との間には、予め抽出対象物４の膨張量を想定した隙間があることが好ましい。
【００３３】
第２の部材２は、第１の基体部１０の外面１０３に取り付けられ、抽出部１７を覆っている。即ち、図１乃至図３の器具は、第１の部材１と、第２の部材２との二重筒構造となっている。より詳細に説明すると、第２の部材２は、第２の基体部２０を有し、第２の基体部２０は、断面視、円形状の管状体、筒状体、又は、パイプ状体であって、第１の基体部１０と同様に耐水シート材で構成されている。
【００３４】
第２の基体部２０は、管状の側壁部分であって、管軸方向Ｌの両側に、それぞれ一端２０１と、他端２０２とを有し、管軸方向Ｌに交差する管径方向Ｄに外面２０３と、内面２０４とを有している。さらに、第２の基体部２０は、第２の中空部２００と、一対の凹溝２４１、２４２とを有している。第２の中空部２００は、内面２０４によって画定され、第２の基体部２０の内部を管軸方向Ｌに沿って伸び、管軸方向Ｌの両端で開口している。
【００３５】
第２の中空部２００には、第１の部材１が挿通されている。即ち、第２の基体部２０は内面２０４でみた最大差し渡し内径寸法（内寸法Ｄ２）を有し、第１の基体部１０は外面１０３でみた最大差し渡し外径寸法（外寸法Ｄ１）を有し、内寸法Ｄ２は外寸法Ｄ１よりも大きい関係にある。
【００３６】
一対の凹溝２４１、２４２のそれぞれは、一端２０１及び他端２０２のそれぞれにおいて、内面２０４にリング状に形成されており、内面２０４と、一対の凹溝２４１、２４２のそれぞれの底面との間に高低差が生じている。
【００３７】
一対の凹溝２４１、２４２は、一対の凸部１４１、１４２と嵌合されることにより、第２の部材２の管軸方向Ｌに沿った動きを規制するものであって、凹溝２４１、２４２の高低差（深さ寸法）は、嵌合される凸部１４１、１４２の高低差（突出寸法）に対応して決定される。図１、図３の第２の部材２は、第１の基体部１０の一端１０１側に配置され、配置された状態で、向かい合う凸部１４１と凹溝２４１とが凹凸嵌合されていることにより固定されている。
【００３８】
第２の部材２は、第２の中空部２００に第１の部材１が挿通され、挿通された状態で、第１の基体部１０の外面１０３において可動的に取り付けられ、抽出部１７を外部に露出可能に覆っている。具体的に、図１、図３の第２の部材２は、外面１０３において、管軸方向Ｌに沿って矢印Ｍ１、Ｍ２で示す方向にスライド可能に取り付けられ、一端１０１から他端１０２にスライドＭ１させることにより、抽出部１７を外部に露出させる。第１の部材１は、管軸方向Ｌの両端に一対の膨張部１３１、１３２を有しているから、第２の部材２のスライドＭ１操作は、一対の膨張部１３１、１３２の間隔Ｌ１３内がスライド可能な距離となる。
【００３９】
また、第１の部材１は、一対の凸部１４１、１４２を有しているから、第２の部材２をスライドＭ１させたとき、他端１０２の位置で向かい合う凸部１４２と凹溝２４２とが凹凸嵌合され、抽出部１７を外部に露出させた状態で固定される（図４及び図５参照）。
【００４０】
他方、第２の部材２をスライドＭ２させたとき、一端１０１の位置で向かい合う凸部１４１と凹溝２４２１が凹凸嵌合され、抽出部１７を被覆した状態で固定される（図３参照）。
【００４１】
図１乃至図５の器具は、抽出対象物４を含む。抽出対象物４は、抽出部１７の内部空間１７０に収納されている。抽出対象物４の具体的な種類は、飲用する物（溶液）に応じて適宜決定することができる。例えば、器具が、お茶やコーヒー、ココアなどの簡易調理器として用いられる場合、抽出対象物４は、紅茶、緑茶、烏龍茶などの各種茶葉、又は、コーヒー粉末、ココア粉末等の飲料用固形粉末である。さらに抽出対象物４としては、上述した物にミルク粉末、砂糖等の調味料を予め混合したものでもよい。
【００４２】
また、抽出対象物４が、各種スープ粉末である場合、器具は、インスタント調理器として用いられ、抽出対象物４が、漢方薬や粉末薬剤である場合、器具は、飲み薬の簡易製造器として用いられる。
【００４３】
さらに違う観点から見れば、図１乃至図５の器具において、抽出対象物４は、予め１杯分あるいは数杯分ずつに所定の量に計量されて内部空間１７０に収納されるから、器具は計量器としても機能する。
【００４４】
図６は、図１乃至図５の器具の使用状態を示す部分断面図である。図６において、図１乃至図５に示した構成部分と同一の構成部分には、同一の参照符号を付す。図６の器具７は、第２の部材２をスライド（Ｍ１）させることにより抽出部１７が外部に露出されており、容器５に溜めた溶媒（湯水）６に抽出部１７を所定の時間浸すことにより、内部空間１７０に収納されている抽出対象物４の溶質（香味成分）が、湯水６に溶かし出される。器具７は、図６の抽出作業後、湯水６から引き上げ、第２の部材２をスライド（Ｍ２）させることにより、抽出部１７が第２の部材２によって被覆される。
【００４５】
図１乃至図６を参照して説明した器具７によると、以下の効果を奏することができる。まず、抽出部１７は、袋状であって、液透過性を有するシート材で構成され、第１の基体部１０の一端１０１に取り付けられている。この構造によると、抽出部１７に、抽出対象物４を収納した状態で、湯水６に一端１０１を差し込み、抽出部１７を湯水６に浸すだけで、抽出対象物４の香味成分を当該湯水６に溶かし出し、飲用に供することができる。
【００４６】
抽出部１７は、一端１０１に取り付けられているから、一端１０１を湯水６に浸した状態で、他端１０２をつまんで矢印Ｍ３で示す方向に操作することにより、スプーンなどを用いずに湯水６、及び、内部空間１７０の抽出対象物４を攪拌させることができる。従って、抽出作業の効率が向上する。
【００４７】
さらに、抽出部１７は、一端１０１に取り付けられているから、抽出対象物４を湯水６に溶かし出した後、他端１０２をつまみ、持ち上げることにより、別途漉し器を用いることなく、当該湯水６から抽出部１７、及び、抽出部１７に収納された抽出対象物４を引き上げることができる。
【００４８】
本発明の一実施形態に係る器具７は、第２の部材２を有する点に特徴の一つがある。第２の部材２は、管状であって、第１の基体部１０の外面１０３に取り付けられ、抽出部１７を覆っている。この構造によると、器具７が実際に使用されるまでの間、抽出部１７及び抽出対象物４を衛生的に保管することができる。
【００４９】
さらに、第２の部材２は、外面１０３において可動的に取り付けられ、抽出部１７を外部に露出可能に覆っている。図１乃至図５の第２の部材２は、スライドＭ１させることにより抽出部１７を外部に露出し、スライドＭ２させることにより抽出部１７を被覆する。この構造によると、抽出時には第２の部材２をスライドＭ１して抽出部１７を露出させ、露出させた状態で湯水６に一端１０１の抽出部１７を差し込むだけで、抽出対象物４を当該湯水６に溶かし出すことができる。
【００５０】
他方、抽出作業を終了し、一端１０１の湯水６から引き上げた後、第２の部材２をスライドＭ２して抽出部１７を被覆させることができる。その結果、例えばテーブル上にそのまま放置しても、抽出部１７から水分や、水分に残留している抽出対象物４の成分が外部に漏出する不具合は生じない。従って、湯水６から引き上げた後の液漏れを回避することができる。
【００５１】
しかも、湯水６から引き上げた後、第２の部材２をスライドＭ２して抽出部１７を被覆させることにより、抽出部１７及び抽出対象物４が衛生的に保管することができる。その結果、例えばテーブル上にそのまま放置しても、抽出部１７に塵埃等が付着する不具合は生じない。従って、抽出部１７を当該湯水６から一旦引き上げた後、次に使うまでの間、衛生的に保管することができる。その結果、例えば再び湯水に浸して飲用に供することも可能になる。
【００５２】
第２の部材２のスライドＭ１、Ｍ２操作について、第１の部材１は、管軸方向Ｌの両端に一対の膨張部１３１、１３２を有しているから、一対の膨張部１３１、１３２の間隔Ｌ１３内によってスライド可能な距離が予め規制されている。従って、第２の部材２のスライドＭ１、Ｍ２操作を円滑に行うことができる。
【００５３】
しかも、第１の部材１は一対の凸部１４１、１４２を有し、第２の部材２は一対の凹溝２４１、２４２を有している。この構造によると、第２の部材２をスライドＭ１させたとき、一端１０１の位置で向かい合う凸部１４１と凹溝２４１とが凹凸嵌合され、第２の部材２が外面１０３上に固定される。この構造によると、スライドＭ１の下げ止まりが明確になると共に、外部からの圧力により第２の部材２が不正移動する不具合は生じないから、保管中にスライドＭ２し、抽出部１７が外部に露出する不具合は生じない。
【００５４】
他方、第２の部材２をスライドＭ２させたとき、他端１０２の位置で向かい合う凸部１４２と凹溝２４２とが凹凸嵌合され、第２の部材２が外面１０３上に固定される。この構造によると、スライドＭ２の上げ止まりが明確になると共に、外部からの圧力により第２の部材２が不正移動する不具合は生じないから、抽出作業中にスライドＭ１し、抽出部１７が被覆される不具合は生じない。
【００５５】
上述したように、図１乃至図６を参照して説明した器具７によると、従来のティーパックを用いた場合の問題点を解決することができる。即ち、従来のティーパックの抽出袋は、湯水から引き上げられた状態で多量の水分を含んでいる。従って、ティーパックを、例えばテーブル上にそのままおくと、抽出袋から染み出した水分や、水分に残留している香味成分により、テーブル上が汚れてしまう問題が生じる。上述した問題を回避するためには、抽出袋を当該湯水から引き上げた後、直ちにゴミ箱などに捨てなければならず、非常に面倒である。
【００５６】
また、ティーパックを用いた場合のもう１つの問題点として、再利用しにくいことが知られている。即ち、ティーパックは、抽出袋に収納される茶葉の量を増やすことにより、複数回、繰り返して使用することも可能である。ただし、ティーパックを繰り返し使用するには、抽出袋を当該湯水から一旦引き上げた後、次に使うまでの間、衛生的に保管する必要があるから、非常に面倒である。
【００５７】
これに対して、図１乃至図６の器具７では、湯水６から引き上げた後、第２の部材２をスライドＭ１して抽出部１７を被覆させることにより、例えばテーブル上にそのまま放置しても、抽出部１７から水分や、水分に残留している抽出対象物４の成分が第２の部材２で遮られ、外部に漏出する不具合は生じない。従って、湯水６から引き上げた後の液漏れを回避することができ、当該湯水６から引き上げた後、直ちにゴミ箱などに捨てにいく必要はない。また、例えばテーブル上にそのまま放置しても、抽出部１７に塵埃等が付着する不具合は生じない。従って、再び湯水６に浸して飲用に供することができる。
【００５８】
図７は、本発明のもう一つ実施形態に係る器具について一部を拡大して示す正面断面図である。図７において、図１乃至図６に示した構成部分と同一の構成部分には、同一の参照符号を付す。図７の器具と、図１乃至図６の器具（７）とは、抽出部１７の構造が異なる以外は、共通の基本的構成を有している。以下、相違点を中心に説明する。
【００５９】
図７の器具において、抽出部１７の内部空間１７０は、隔壁１７１によって複数の収納空間１７２〜１７４に画定されている。隔壁１７１は、紙や不織布、メッシュなどの多孔質構造を有するシート材で構成され、好ましくは抽出部１７を構成するシート材と一体的に構成されている。複数の収納空間１７２〜１７４のそれぞれには、同種、又は、異種の抽出対象物（４）を収納することができる。
【００６０】
さらに、図７の器具は、凸部１５と、凸部１６を有している。凸部１５、１６は、管軸方向Ｌでみた外面１０３の点Ｐ１、Ｐ２に間隔を隔てて突設されている。
【００６１】
第２の部材２のスライドＭ１、Ｍ２操作について、例えば、第２の部材２のスライドＭ１操作した場合、凹溝２４２はＰ１の位置で凸部１５と嵌合され、嵌合された状態で、第２の部材２の一端がＰ３まで移動し、第３の収納空間１７４が第２の部材２によって被覆される。
【００６２】
さらに、第２の部材２のスライドＭ１操作した場合、凹溝２４２は凸部１５との嵌合が解除され、次のＰ２の位置で凸部１６と嵌合されることにより、第２の部材２の一端がＰ４まで移動し、第２の、第３の収納空間１７４が第２の部材２によって被覆する。
【００６３】
即ち、図７の器具は、複数の収納空間１７２〜１７４の位置に応じて凸部１５、１６が突設されており、第２の部材２を管軸方向Ｌに沿って段階的にスライドＭ１させ、スライドさせた位置で掛けとめることができる。なお、逆のスライドＭ２操作をすることにより、抽出部１７を段階的に外部に露出しうることは明白である。
【００６４】
図７の実施形態において、複数の収納空間１７２〜１７４のそれぞれに、同種の抽出対象物（４）を収納した場合、抽出効率を向上することができる。即ち、スティック状器具に抽出対象物（４）が収納されている場合、抽出対象物（４）は重力に従い一端１０１に偏って塊状となり、湯水（６）に浸した時に攪拌させ難いことがある。図７の実施形態では、抽出対象物（４）を収納空間１７２〜１７４に分けて収納することができるから、重力による抽出対象物（４）の偏りを回避することができる。しかも、湯水（６）に浸したとき、抽出対象物（４）はそれぞれの収納空間１７２〜１７４内で攪拌されるから、抽出効率を向上することができる。
【００６５】
他方、複数の収納空間１７２〜１７４のそれぞれに、異種の抽出対象物（４）を収納した場合、作成しうる溶液のバリエーションが増加し、使い勝手が良くなる。例えば、第１の収納空間１７２にコーヒー粉末を収納し、第２の収納空間１７３に砂糖を収納し、第３の収納空間１７４にミルク粉末を収納することにより、予め１杯分ずつに計量されたコーヒーの簡易調理器として器具を用いることができる。
【００６６】
また、抽出部１７を湯水（６）に浸す位置を、収納空間１７２〜１７４の何れかに設定することにより、例えば、コーヒーについて、砂糖の有無、ミルクの有無を使用者自ら決定して抽出することができる。しかも、図７の実施形態では、収納空間１７２〜１７４の位置に応じて第２の部材２のスライドＭ１位置を段階的に調節することができるから、例えば、砂糖有り、ミルク無しのコーヒーを飲みたい場合には、凹溝２４２をＰ１の位置で凸部１５と嵌合させ、第３の収納空間１７４を第２の部材２で被覆することにより、第１の収納空間１７２のコーヒー粉末と、第２の収納空間１７３の砂糖のみを湯水（６）に浸して抽出させることができる。
【００６７】
図８は本発明のさらにもう一つの実施形態に係る器具７の正面図、図９は図８の器具７の平面図である。また、図１０は、図８及び図９の器具７の使用状態を示す部分断面図である。図８乃至図１０において、図１乃至図７に示した構成部分と同一の構成部分には、同一の参照符号を付す。
【００６８】
図８乃至図１０の器具７は、掛止部１８を有する以外は、図１乃至図７の器具（７）と共通の基本的構成を有している。以下、相違点を中心に説明する。
【００６９】
まず、図８及び図９の器具７を構成する掛止部１８は、第１の部材１の外面１０３に突設されている。より詳細に説明すると、掛止部１８は、基体部１８０と、開口部１８１とを有している。基体部１８０は、フック状、又は、鉤状であって、外面１０３において管軸方向Ｌに沿って突設されている。開口部１８１は、基体部１８０において、抽出部１７の側に開口し、開口部分を構成する先端面と、第２の部材２の外面２０３との間に間隔が形成されている。
【００７０】
第２の部材２０は、スリット２５を有し、スリット２５は、第２の部材２の外面２０３から内面２０４に貫通し、外面２０３において、管軸方向Ｌの他端２０２から中間で延びている。第１の部材１の掛止部１８は、スリット２５に案内され、第２の部材２の外面２０３に突出している。第２の部材２０は、掛止部１８がスリット２５に案内された状態で、管軸方向ＬにスライドＭ１、Ｍ２可能に取り付けられている。
【００７１】
次に、図１０を参照して、図８及び図９の器具７の利点を説明する。図１０に示すように、器具７が掛止部１８を有している構造によると、抽出作業を効率的に行うことができる。即ち、器具７が、お茶やコーヒー、ココアなどの簡易調理器として用いられる場合、湯水６を溜める容器５の容量は様々であり、器具７の長さ寸法よりの底の深い容器５に用いた場合、器具７が容器５内の湯水６に沈んでしまう問題が生じる。
【００７２】
これに対し、図８乃至図９の器具７は、掛止部１８を有しているから、図１０に示すように容器５の側壁５１に器具７を掛け止めることにより、器具７の水没を回避することができる。
【００７３】
また、器具７が掛止部１８を有する構造によると、器具７を容器５に取り付たまま、抽出が終わるまで放置することができるから、例えば、飲食店において多数の客にコーヒーを提供する場合や、一般家庭において多数の来客にコーヒーを提供する場合に、抽出作業を効率的に行うことができる。
【００７４】
図８及び図９の器具を構成する掛止部１８は、第１の部材１の外面１０３に突設され、スリット２５を通じて第２の部材２の外面２０３に突出しているから、第２の部材２をスライドＭ１又はＭ２させるとき、掛止部１８がガイド溝として機能する。また、第２の部材２をスライドＭ２させるとき、掛止部１８の基部がスリット２５の一端にぶつかることにより上げ止まりとして機能する。従って、第２の部材２のスライドＭ１又はＭ２操作を円滑に行うことができる。
【００７５】
また、掛止部１８が、スリット２５を通じて外面２０３に突出している構造によると、第２の部材２のスライドＭ１又はＭ２操作の有無にかかわらず、器具７における掛止部１８の位置が固定されるから、例えば、筒体などに差して容易に保管することができる。
【００７６】
他方、掛止部１８は器具７を容器５に取り付けるためのものであるから、必ずしも第１の部材１の外面１０３上に設けられる必要はない。例えば、掛止部１８を、第２の部材２の外面２０３上に直接突設することもできる。掛止部１８を、外面２０３上に突設する構造によると、スリット２５を設ける必要がなくなり、部品点数が少なくなる分、製造コストを低減することができる。
【００７７】
また、掛止部１８を、外面２０３上に突設する構造によると、掛止部１８を保持して第２の部材２をスライドＭ１又はＭ２操作させることができる。従って、第２の部材２のスライド操作が容易になる。
【００７８】
しかも、掛止部１８が固定されているかぎり、第２の部材２０のスライドＭ１又はＭ２操作が規制されるから、例えば、容器５の側壁５１に器具７を掛け止めた状態で、第２の部材２が不正にスライドすることはない。従って、抽出作業中に第２の部材２が不正移動し、抽出部１７が覆われる不具合は生じない。
【００７９】
図１１は本発明のさらにもう一つの実施形態に係る器具の斜視図、図１２は図１の器具の別の状態を示す斜視図、図１３は図１１及び図１２の器具の内部構造を示す部分断面図である。図１１乃至図１３において、図１乃至図１０に示した構成部分と同一の構成部分には、同一の参照符号を付す。図１１乃至図１３の器具と、図１乃至図１０の器具とは、第２の部材２の構造が異なる以外は、共通の基本的構成を有している。以下、相違点を中心に説明する。
【００８０】
図１１乃至図１３の器具において、第２の部材２は、第２の開口部２６を有し、第１の基体部１０の外面１０３において、第１の開口部１１から外部に露出する抽出部１７に対応する領域に取り付けられ、取り付けられた状態で抽出部１７を覆っている。第２の開口部２６は、第２の基体部２０の側壁を貫通し、第２の中空部２００に開口している。
【００８１】
第２の部材２は凸部２７を有し、第１の部材１は凹溝１９を有している。凸部２７は、第２の基体部２０の他端２０２側において、内面２０４から管径方向Ｄに突出しており、内面２０４と、凸部２７の突出面との間に高低差が生じている。他方、凹溝１９は、管軸方向Ｌでみた第１の基体部１０の中間部分において、外面１０３にリング状に形成されており、外面１０３と、凹溝２７の底面との間に高低差が生じている。凹溝１９は、凸部２７と嵌合されることにより、管軸方向Ｌでみた第２の部材２の動きを規制するものであって、凹溝１９のそれぞれの高低差（深さ寸法）は、凸部２７のそれぞれの高低差（突出寸法）に対応して決定される。
【００８２】
第２の部材２は、第１の基体部１０の外面１０３において、周方向Ｃに回転可能に取り付けられ、第２の部材２を周方向Ｃに回転させ、第２の開口部２６が抽出部１７と重なる位置で、抽出部１７を外部に露出させる。図１１の実施形態では、第２の開口部２６が第１の開口部１１と重なる位置にあり、抽出部１７が第２の開口部２６を通じて外部に露出している。
【００８３】
他方、図１２の実施形態では、図１１の状態から第２の部材２を周方向Ｃに回転Ｃ１させることにより、図１３の一点鎖線で示す第２の開口部２６が、条状部分１２と重なる位置に配置されている。違う言葉で表現すれば、図１２の状態では、抽出部１７は外部に露出されないこととなる。
【００８４】
図１１乃至図１３の実施形態によっても、図１乃至図１０を参照して説明した、器具の利点を全て奏することができる。さらに、図１１乃至図１３の実施形態では、第２の部材２を周方向Ｃに回転させる操作により、抽出部１７を第２の開口部２６を通じて外部に露出させ、又は、抽出部１７を第２の基体部２０の側壁部分によって被覆させる。この構成によると、図１乃至図１０を参照して説明したスライドＭ１又はＭ２操作により抽出部１７を露出させる実施形態と比較して、外部からの圧力により、第２の開口部２６が不正に移動する危険を回避することができる。従って、例えば、筒体などに差して容易に保管することができる。
【００８５】
図１４は、本発明のさらにもう一つの実施形態に係る器具について一部を省略して示す正面図である。図１４において、図１乃至図１３に示した構成部分と同一の構成部分には、同一の参照符号を付す。図１４の器具と、図１乃至図１３の器具とは、抽出部１７の設置数および配置が異なる以外は、共通の基本的構成を有している。以下、相違点を中心に説明する。
【００８６】
図１４の実施形態において、第１の部材１は２つの抽出部１７、１７を有し、２つの抽出部１７、１７は、第１の基体部１０の管軸方向Ｌの両端に取り付けられている。２つの抽出部１７、１７のそれぞれには、点線で示す第２の部材２が取り付けられている。図１４の第２の部材２は、図１１乃至図１３の第２の部材２と同じものが用いられている。もっとも、図１４の実施形態において、図１乃至図１３の第２の部材２、即ち、管軸方向ＬにスライドＭ１又はＭ２操作させるものを用いることができる。
【００８７】
図１４の実施形態によっても、図１乃至図１３を参照して説明した、器具の利点を全て奏することができる。さらに、図１４の実施形態では、２つの抽出部１７、１７を有するから、例えば、２つの抽出部１７、１７のそれぞれに異種の抽出対象物（４）を収納した場合、作成しうる溶液のバリエーションが増加し、使い勝手が良くなる。例えば、一方の抽出部１７にコーヒー粉末を収納し、他方の抽出部１７に砂糖を収納することにより、コーヒーについて、砂糖の有無を使用者自ら決定して飲用に供することができる。
【００８８】
図１５は、本発明のさらにもう一つの実施形態に係る器具の部分断面図、図１６は図１５の器具の別の状態を示す斜視図である。図１５及び図１６において、図１乃至図１４に示した構成部分と同一の構成部分には、同一の参照符号を付す。図１５及び図１６の器具は、第３の部材３を有している点で、図１乃至図１３の器具とは異なる。以下、相違点を中心に説明する。
【００８９】
図１５及び図１６の器具は、第１の部材１と、第２の部材２と、第３の部材３とを含む。第１の部材１は、凸部１４を有している。凸部１４は、リング状であって、管軸方向Ｌでみた第１の基体部１０の他端１０２付近の外面（１０３）に突設されている。
【００９０】
第２の部材２は、凸部２７と、凹溝２８とを有している。凸部２７は、リング状であって、管軸方向Ｌでみた第２の基体部２０の他端２０２付近において、外面２０３から管径方向Ｄに突出しており外面２０３と、凸部２７の突出面との間に高低差が生じている。凹溝２８は、一端２０１付近において、内面２０４にリング状に形成されており、内面２０４と、凹溝２８の底面との間に高低差が生じている。凹溝２８は、凸部１４と嵌合されることにより、第２の部材２の動きを規制するものであって、凹溝２８のそれぞれの高低差（深さ寸法）は、凸部１４のそれぞれの高低差（突出寸法）に対応して決定される。
【００９１】
第３の部材３は、第３の基体部３０を有し、第２の中空部２００に挿通され、挿通された状態で、第２の基体部２０の外周において可動的に取り付けられ、抽出部１７を外部に露出可能に覆っている。即ち、図１５及び図１６の器具は、第１の部材１と、第２の部材２と、第３の部材３の三重筒構造となっている。より詳細に説明すると、第３の部材３は、第３の基体部３０を有し、第３の基体部３０は、断面視、円形状の管状体、筒状体、又は、パイプ状体であって、第１、第２の基体部１０、２０と同様に耐水シート材で構成されている。
【００９２】
第３の基体部３０は、管状の側壁部分であって、管軸方向Ｌの両側に、それぞれ一端３０１と、他端３０２とを有し、管径方向Ｄに外面３０３と、内面３０４とを有している。さらに、第３の基体部３０は、第３の中空部３００と、凹溝３４とを有している。第３の中空部３００は、内面３０４によって画定され、第２の基体部２０の内部を管軸方向Ｌに沿って伸び、管軸方向Ｌの両端で開口している。
凹溝３４は、一端３０１側において、内面３０４にリング状に形成されており、内面３０４と、凹溝３４の底面との間に高低差が生じている。凹溝３４は、凸部２７と嵌合されることにより、第２の部材２の動きを規制するものであって、凹溝３４の高低差（深さ寸法）は、凸部２８のそれぞれの高低差（突出寸法）に対応して決定される。
【００９３】
第３の中空部３００には、第２の部材２が挿通されている。第３の基体部３０は内面３０４でみた最大差し渡し内径寸法（内寸法Ｄ３）を有し、第２の基体部２０は外面２０３でみた最大差し渡し外径寸法（外寸法Ｄ２０）を有し、内寸法Ｄ３は外寸法Ｄ２０よりも大きい関係にある。第１〜第３の基体部１０〜３０において、第１の基体部１０の外寸法Ｄ１は第２の基体部２０の内寸法Ｄ２より小さく、第２の基体部２０の外寸法Ｄ２０は第３の基体部３０の内寸法Ｄ３より小さい関係となっている。即ち、第１〜第３の部材１〜３は、外側に向かって管径が段々に大きくなっており、入れ子状に組み合わされている。
【００９４】
図１５において、第１〜第３の基体部１０〜３０は、管軸方向Ｌでみて同じ長さ寸法を有している。
【００９５】
図１６の実施形態は、図１５の状態から、第１〜第３の部材１〜３を順次スライドＭ１させることにより、抽出部１７を外部に露出させた状態を示している。第１の部材１は他端１０２に凸部１４を有し、第２の部材２は一端２０１に凹溝２８を有している。従って、第２の部材２を管軸方向Ｌに沿ってスライドＭ１させたとき、第２の部材２の最大引き出し位置Ｐ６で凸部１４と、凹溝２８が凹凸嵌合され、固定される。
【００９６】
さらに、第２の部材２は他端２０２に凸部２７を有し、第３の部材３は一端３０１に凹溝３４を有している。従って、第３の部材３を管軸方向Ｌに沿ってスライドＭ１させたとき、第３の部材３の最大引き出し位置Ｐ５で凸部２７と、凹溝３４が凹凸嵌合され、固定される。なお、逆のスライドＭ２操作をすることにより、図１５に示した状態に戻しうることは明白である。
【００９７】
図１５及び図１６の実施形態によっても、図１乃至図１４を参照して説明した、器具の利点を全て奏することができる。例えば、第１の部材１を構成する抽出部１７は、第２、第３の部材２、３を管軸方向Ｌに順次スライドＭ１操作することにより外部に露出させることができる。従って、抽出部１７に、抽出対象物（４）を収納した状態で、湯水（６）に第１の基体部１０の一端１０１を差し込みし、抽出部１７を当該湯水（６）に浸すだけで、抽出対象物（４）を当該湯水（６）に溶かし出すことができる。
【００９８】
また、第１の部材１を構成する抽出部１７は、第２、第３の部材２、３を管軸方向Ｌに順次スライドＭ２操作して被覆させることができる。従って、例えばテーブル上にそのまま放置しても、抽出部１７から水分や、水分に残留している抽出対象物（４）の成分が外部に漏出する不具合は生じない。よって、湯水（６）から引き上げた後の液漏れを回避することができる。
【００９９】
さらに、図１５及び図１６の実施形態では、第１〜第３の部材１〜３は、管径方向Ｄでみた外側に向かって管径が段々に大きくなっており、入れ子状に組み合わされているから、第２、第３の部材２、３を管軸方向ＬにスライドＭ２操作して抽出部１７を被覆させた状態（図１５）で、長さ寸法が、第１〜第３の基体部１０〜３０それぞれの長さ寸法と同程度に短くなり、省スペース化が図られる。従って、携帯性が向上するとともに、保管効率が向上する。
【０１００】
以上、好ましい実施例を参照して本発明の内容を具体的に説明したが、本発明の基本的技術思想及び教示に基づいて、当業者であれば、種種の変形態様を採り得ることは自明である。以下、変形態様について説明する。
【０１０１】
図１乃至図１６の実施形態において、第１〜第３の部材１〜３は、断面視、楕円形状、三角形形状、四角形形状、さらには多角形形状とすることができる。この構造によると、抽出部１７に収納される抽出対象物に応じて器具の断面視形状を設定することができる。例えば、コーヒー用器具の場合は断面視円形状とし、紅茶用器具の場合は断面視三角形形状とし、緑茶用器具の場合は断面視四角形形状とする等と使い分けることにより、冠婚葬祭向けのギフトセット用に複数の器具を販売する場合の美観を向上させ、又は、飲食店などのドリンクバーにおいて複数の器具を併設する場合の取り違えを防ぐことができる。
【０１０２】
また、抽出部１７の長さ寸法（Ｌ１７）や径寸法は、抽出対象物の種類に応じて適宜調節することができる。例えば、一杯分のコーヒー粉末の収納量は８ｇ程度であり、ココアに用いられる場合に一杯分のココア粉末の収納量は２２ｇ程度であり、適量とされる抽出対象物４の収納量は異なるから、第１の部材１を構成する抽出部１７の長さ寸法（Ｌ１７）や、径寸法は抽出対象物４の性質に応じて適宜設定される。
【０１０３】
さらに、図１乃至図６に係る実施形態のスライド動作Ｍ１、Ｍ２と、図１１乃至図１３に係る実施形態の回転動作Ｃ１とは、必ずしも択一的な関係にあるものではなく、１つの器具上で同時に行うよう構成することもできる。
【符号の説明】
【０１０４】
１                    第１の部材
１０                  第１の基体部
１１                  第１の開口部
１７                  抽出部
１８                  掛止部
２                    第２の部材
２０                  第２の基体部
２６                  第２の開口部
４                    抽出対象物
５                    容器
７                    器具
Ｌ                    管軸方向
【図１】
2011188927.tif 000003
【図２】
2011188927.tif 000004
【図３】
2011188927.tif 000005
【図４】
2011188927.tif 000006
【図５】
2011188927.tif 000007
【図６】
2011188927.tif 000008
【図７】
2011188927.tif 000009
【図８】
2011188927.tif 000010
【図９】
2011188927.tif 000011
【図１０】
2011188927.tif 000012
【図１１】
2011188927.tif 000013
【図１２】
2011188927.tif 000014
【図１３】
2011188927.tif 000015
【図１４】
2011188927.tif 000016
【図１５】
2011188927.tif 000017
【図１６】
2011188927.tif 000018